(57)【要約】      （修正有）【課題】バランス良く頭に掛けることができ、激しく身体を動かしても頭から外れにくい、スポーツ用眼鏡を提供する。【解決手段】前記右側頭つる部２２に連設された右後頭つる部２４及び前記左側頭つる部２６に連設された左後頭つる部２８とを備え、前記右側頭つる部２２及び左側頭つる部２６の耳に掛ける部位から右後頭つる部２４及び左後頭つる部２８に亘る領域は、前記連接部１８より下方に位置するように形成され、右後頭つる部２４の自由端及び左後頭つる部２８の自由端は、右後頭つる部２４と左後頭つる部２８とを連結する後頭連結部３０，３２が形成され、右後頭つる部の連結部３０又は左後頭つる部の連結部３２は、少なくとも一方にマグネット部３４が形成され、前記マグネット部３４の磁気の吸引力により、他方の連結部と連結されるように形成された、スポーツ用眼鏡である。【選択図】図１
0003120099.tif 000002
【実用新案登録請求の範囲】
【請求項１】
レンズ及び／又は前枠及び／又は智に、連接部において回動自在に連設された右側頭つる部及び左側頭つる部と、
前記右側頭つる部に連設された右後頭つる部及び前記左側頭つる部に連設された左後頭つる部とを備え、
前記右側頭つる部及び左側頭つる部の耳に掛ける部位から右後頭つる部及び左後頭つる部に亘る領域は、前記連接部より下方に位置するように形成され、
右後頭つる部の自由端及び左後頭つる部の自由端は、右後頭つる部と左後頭つる部とを連結する後頭連結部が形成され、
右後頭つる部の連結部又は左後頭つる部の連結部は、少なくとも一方にマグネット部が形成され、前記マグネット部の磁気の吸引力により、他方の連結部と連結されるように形成された、スポーツ用眼鏡。
【請求項２】
前記右側頭つる部及び左側頭つる部は、レンズ及び／又は前枠及び／又は智と右後頭つる部及び左後頭つる部との間の間隔を調整するための長さ調整手段を備える、請求項１に記載のスポーツ用眼鏡。
【請求項３】
前記右側頭つる部は、
前記連接部側の第１右側頭つる部と、前記右後頭つる部側の第２右側頭つる部とを備え、
第１右側頭つる部と第２右側頭つる部を連結する右つる連結部は、長さ調整手段を備え、
前記左側頭つる部は、
前記連接部側の第１左側頭つる部と、前記左後頭つる部側の第２左側頭つる部とを備え、
第１左側頭つる部と第２左側頭つる部とを連結する左つる連結部は、長さ調整手段を備えた、請求項２に記載のスポーツ用眼鏡。
【請求項４】
前記右側頭つる部は、連接部側の第１右側頭つる部と、前記右後頭つる部側の第２右側頭つる部とを備え、
前記第１右側頭つる部と前記第２右側頭つる部とは嵌合され、
前記長さ調整手段は、それらが嵌合される長さにより、レンズ及び／又は前枠及び／又は智と右後頭つる部との間の間隔を調整するように形成され、
前記左側頭つる部は、連接部側の第１左側頭つる部と、前記左後頭つる部側の第２左側頭つる部とを備え、
前記第１左側頭つる部と前記第２左側頭つる部とは嵌合され、
前記長さ調整手段は、それらが嵌合される長さにより、レンズ及び／又は前枠及び／又は智と右後頭つる部との間の間隔を調整するように形成された、請求項２に記載スポーツ用眼鏡。
【請求項５】
前記右側頭つる部及び左側頭つる部の耳に掛ける部位から右後頭つる部及び左後頭つる部に亘る領域は、耳の後ろ下部位から後頭部に至るように、頭部に沿って湾曲され、正面視略水平ないし緩やかな勾配を有するように形成された、請求項１ないし４のいずれかに記載のスポーツ用眼鏡。
【請求項６】
右側頭つる部は、右後頭つる部と、合成樹脂又はセルロイドで一体成形され、
左側頭つる部は、左後頭つる部と、合成樹脂又はセルロイドで一体成形された、請求項１ないし５のいずれかに記載のスポーツ用眼鏡。
【考案の詳細な説明】
【技術分野】
【０００１】
この考案は、スポーツ用に最適な眼鏡に関し、特に、例えば激しく身体を動かす海上スポーツなどにおいて用いても落ちることがないように形成されたスポーツ用眼鏡に関する。
【背景技術】
【０００２】
従来の眼鏡として、例えば、実用新案登録第３０９４２７０号のサングラスのように、頭に固定することができる眼鏡が提案されている。
このサングラスは、サングラス用レンズと前枠と、前枠に接合された前枠の左右の目尻の位置から耳までの長さより短いリムと、リムの端に接着剤などにより接続された左右２本の軟質素材からなるベルトを備え、２本の軟質素材からなるベルトのリムとは反対側の端部は、２本のベルトを着脱自在に結合する接合部材とから構成される。
【０００３】
【特許文献１】実用新案登録第３０９４２７０号公報
【考案の開示】
【考案が解決しようとする課題】
【０００４】
この従来のサングラスは、フレームの左右の目尻の位置から耳までの長さより短いリムの端に接続された左右２本の軟質素材からなるベルトを備え、軟質素材からなる２本のベルトにより、頭部を挟み、又、後頭部で結合部材の付いたベルトにより固定するので、確実にサングラスを固定することができる。
しかしながら、このサングラスは、単に二本のベルトを着脱自在に結合する接合部材により後頭部で接合するように構成されているに過ぎず、激しいスポーツをするようなときには、レンズとベルトとの重量バランスが取れないために不安定となり、頭から外れやすく、又、二本のベルトは軟質部材からなるが、ほぼ直線状のために耳に沿わず又後頭部にも沿いにくいため、より外れやすいものとなっている。
【０００５】
それゆえに、この考案の主たる目的は、バランス良く頭に掛けることができ、激しく身体を動かしても頭から外れにくい、スポーツ用に適する眼鏡を提供することである。
【課題を解決するための手段】
【０００６】
この考案の請求項１にかかるスポーツ用眼鏡は、レンズ及び／又は前枠及び／又は智に、連接部において回動自在に連設された右側頭つる部及び左側頭つる部と、前記右側頭つる部に連設された右後頭つる部及び前記左側頭つる部に連設された左後頭つる部とを備え、前記右側頭つる部及び左側頭つる部の耳に掛ける部位から右後頭つる部及び左後頭つる部に亘る領域は、前記連接部より下方に位置するように形成され、右後頭つる部の自由端及び左後頭つる部の自由端は、右後頭つる部と左後頭つる部とを連結する後頭連結部が形成され、右後頭つる部の連結部又は左後頭つる部の連結部は、少なくとも一方にマグネット部が形成され、前記マグネット部の磁気の吸引力により、他方の連結部と連結されるように形成された、スポーツ用眼鏡である。
この考案の請求項２にかかるスポーツ用眼鏡は、前記右側頭つる部及び左側頭つる部は、レンズ及び／又は前枠及び／又は智と右後頭つる部及び左後頭つる部との間の間隔を調整するための長さ調整手段を備える、請求項１に記載のスポーツ用眼鏡である。
この考案の請求項３にかかるスポーツ用眼鏡は、前記右側頭つる部は、前記連接部側の第１右側頭つる部と、前記右後頭つる部側の第２右側頭つる部とを備え、第１右側頭つる部と第２右側頭つる部を連結する右つる連結部は、長さ調整手段を備え、前記左側頭つる部は、前記連接部側の第１左側頭つる部と、前記左後頭つる部側の第２左側頭つる部とを備え、第１左側頭つる部と第２左側頭つる部とを連結する左つる連結部は、長さ調整手段を備えた、請求項２に記載のスポーツ用眼鏡である。
この考案の請求項４にかかるスポーツ用眼鏡は、前記右側頭つる部は、連接部側の第１右側頭つる部と、前記右後頭つる部側の第２右側頭つる部とを備え、前記第１右側頭つる部と前記第２右側頭つる部とは嵌合され、前記長さ調整手段は、それらが嵌合される長さにより、レンズ及び／又は前枠及び／又は智と右後頭つる部との間の間隔を調整するように形成され、前記左側頭つる部は、連接部側の第１左側頭つる部と、前記左後頭つる部側の第２左側頭つる部とを備え、前記第１左側頭つる部と前記第２左側頭つる部とは嵌合され、前記長さ調整手段は、それらが嵌合される長さにより、レンズ及び／又は前枠及び／又は智と右後頭つる部との間の間隔を調整するように形成された、請求項２に記載スポーツ用眼鏡である。
この考案の請求項５にかかるスポーツ用眼鏡は、前記右側頭つる部及び左側頭つる部の耳に掛ける部位から右後頭つる部及び左後頭つる部に亘る領域は、耳の後ろ下部位から後頭部に至るように、頭部に沿って湾曲され、正面視略水平ないし緩やかな勾配を有するように形成された、請求項１ないし４のいずれかに記載のスポーツ用眼鏡である。
この考案の請求項６にかかるスポーツ用眼鏡は、右側頭つる部は、右後頭つる部と、合成樹脂又はセルロイドで一体成形され、左側頭つる部は、左後頭つる部と、合成樹脂又はセルロイドで一体成形された、請求項１ないし５のいずれかに記載のスポーツ用眼鏡である。
【考案の効果】
【０００７】
この考案によれば、レンズ及び／又は前枠及び／又は智に、連接部において回動自在に連設された右側頭つる部及び左側頭つる部と、前記右側頭つる部に連設された右後頭つる部及び前記左側頭つる部に連設された左後頭つる部とを備え、前記右側頭つる部及び左側頭つる部の耳に掛ける部位から右後頭つる部及び左後頭つる部に亘る領域は、前記連接部より下方に位置するように形成されているので、前枠及びレンズの重量と後方の後頭つる部との間において、重量バランスを取りやすく、激しい運動中においても眼鏡がずれたり傾くことなく、正常な位置で眼鏡を保持することができる。
又、右後頭つる部の自由端及び左後頭つる部の自由端は、右後頭つる部と左後頭つる部とを連結する後頭連結部が形成されているので、前枠及びレンズの重量と後方の後頭つる部との間において、重量バランスを取りやすく、激しい運動中においても眼鏡がずれたり傾くことなく、正常な位置で眼鏡を保持することができる。
右後頭つる部の連接部又は左後頭つる部の連結部は、少なくとも一方にマグネット部が形成され、前記マグネット部の磁気の吸引力により、他方の連結部と連結されるように形成されているので、右後頭つる部の自由端及び左後頭つる部の自由端をそれぞれ手で持って頭の頭部において近づければ、マグネット部の磁気の吸引力においてそれぞれ引きつけられ、右後頭つる部と左後頭つる部と連結する連結部において連結され、頭の最適な位置に眼鏡を掛けることができる。
【０００８】
請求項２及び３の考案によれば、右側頭つる部及び左側頭つる部は、レンズ及び／又は前枠及び／又は智と右後頭つる部及び左後頭つる部との間の間隔を調整するための長さ調整手段を備えているので、頭の形状、特に頭の前後の長さに対応して、つる部の長さを変えて眼鏡を掛けることができる。
【０００９】
請求項４の考案によれば、長さ調整手段は、第１右側頭つる部または第１左側頭つる部と第２右側頭つる部または第２左側頭つる部とは嵌合され、それらが嵌合される長さにより、レンズ及び／又は前枠及び／智と右後頭つる部又は左後頭つる部との間の長さを調整するように形成されているので、比較的細いつる部を形成することができ、長さ調整手段の部位は、その外周に突部等が出ることがなく、掛けたときに頭部に障害を与えるようなおそれのない表面が滑らかなつるを構成することができる。
【００１０】
請求項５の考案によれば、前記右側頭つる部及び左側頭つる部の耳に掛ける部位から右後頭つる部及び左後頭つる部に亘る領域は、耳の後ろ下部位から後頭部に至るように、頭部に沿って湾曲され、正面視略水平ないし緩やかな勾配を有するように形成されているので、前枠及びレンズの重量と右後頭つる部及び左後頭つる部との間における重量バランスをとりやすく、常に最適な位置に眼鏡を掛けることができる。
【００１１】
請求項６の考案によれば、右側頭つる部は、右後頭つる部と、合成樹脂又はセルロイドで一体成形され、左側頭つる部は、左後頭つる部と、合成樹脂又はセルロイドで一体成形されているので、軽量で掛けやすい眼鏡を得ることができる。そして、つる部の表面は、滑らかな表面を形成することができ、眼鏡を掛けたときに頭部に障害となるようなものもできることがない。
【００１２】
この考案の上述の目的、その他の目的、特徴および利点は、図面を参照して行う以下の考案を実施するための最良の形態の説明から一層明らかとなろう。
【考案を実施するための最良の形態】
【００１３】
図１は、この考案の一実施の形態であるスポーツ用眼鏡の斜視図解図であり、図２は、図１図示スポーツ用眼鏡の側面図解図である。
この考案にかかるスポーツ用眼鏡１０は、レンズ１２と、フレームやブリッジを含み該レンズ１２を嵌め込んで保持する前枠１４と、前枠１４の左右端に連設された智１６と、連接部１８を介して回動自在に連設されたつる部２０とを備える。
【００１４】
つる部２０は、右側の耳に掛ける右側頭つる部２２と、右側頭つる部２２に連設された右後頭つる部２４とを備えるとともに、左側の耳に掛ける左側頭つる部２６と、左側頭つる部２６に連設された左後頭つる部２８とを備える。
【００１５】
右側頭つる部２２の耳に掛ける部位から右後頭部に当接する右後頭つる部２４に亘る領域は、右耳の後ろ下部部位から後頭部に至るように、平面が頭部に沿って湾曲され、正面視略水平ないし緩やかな勾配を有するように形成されている。
又、左側頭つる部２６の耳に掛ける部位から左後頭部に当接する左後頭つる部２８に亘る領域は、前記右側頭つる部２２及び右後頭つる部２４と対称に形成され、左耳の後ろ下部部位から後頭部に至るように、平面が頭部に沿って湾曲され、正面視略水平ないし緩やかな勾配を有するように形成されている。
そして、右側頭つる部２２の右の耳に掛ける部位から右後頭つる部２４に亘る領域及び左側頭つる部２６の左の耳に掛ける部位から左後頭つる部２８に亘る領域は、前記連接部１８より下方に位置するように形成されている。
【００１６】
右後頭つる部２４の自由端及び左後頭つる部２８の自由端は、右後頭つる部２４と左後頭つる部２８とを、頭の後頭部の形状に沿うように平面視円弧状に連結する、後頭連結部３０及び後頭連結部３２が形成されている。
右後頭つる部２４の後頭連結部３０は、磁気の吸引力を有するマグネット片を埋設してなるマグネット部３４が形成され、左後頭つる部２８の後頭連結部３２は、前記右後頭つる部２４の後頭連結部３０のマグネット部３４に磁気の吸引力に吸引され固定されるための、マグネット片ないし鉄片を埋め込んでなる被吸引部３６が形成されている。
この実施の形態においては、左後頭つる部２８の連結部３２の下面が平面視略Ｌ字型に切りかかれて段差が設けられ、又、前記左後頭つる部２８の連結部３２の段差に対応するように、右後頭つる部２４の連結部３０の上面は、平面視略Ｌ字型に切りかかれて段差が設けられ、且つ、右後頭つる部２４の連結部３０のマグネット部３４は、上方に向けて形成され、左後頭つる部２８の連結部３２の被吸引部３６は、下方に向けて形成され、マグネット部３４と被吸引部３６とが吸引して固定されるように形成されている。
【００１７】
右側頭つる部２２は、前記連接部１８側の第１右側頭つる部５０と、前記右後頭つる部２４側の第２右側頭つる部５２とを備える。
そして、右側頭つる部２２は、第１右側頭つる部５０と第２右側頭つる部５２とを連結する、右側頭つる連結部５４が形成され、右側頭つる部連結部５４は、第１右側頭つる部５０の後端を第２右側頭つる部５２に嵌合するように、右側頭つる部５２の前端に、嵌合孔５６が形成されている。
左側頭つる部２６は、前記連接部１８側の第１左側頭つる部７０と、前記左後頭つる部２８側の第２左側頭つる部７２とを備える。
そして、左側頭つる部２６は、第１左側頭つる部７０と第２左側頭つる部７２とを連結する、左側頭つる連結部７４が形成され、左側頭つる連結部７４は、前記第１左側頭つる部７０の後端を前記第２左側頭つる部７２に嵌合するように、第２左側頭つる部７２の前端に嵌合孔７６が形成されている。
【００１８】
前記右側頭つる部２２及び左側頭つる部２６は、レンズ１２及び／又は前枠１４及び／又は智１６と右後頭つる部２４及び左後頭つる部２８との間隔を調整するための長さ調整手段５８及び長さ調整手段７８を備える。
この実施の形態においては、右側頭つる連結部５４が長さ調整手段５８を構成し、左側頭つる連結部７４が長さ調整手段７８を構成するように形成されている。
右側頭つる部２２の長さ調整手段５８は、第２右側頭つる部５２の嵌合孔５６の長手方向に向けてのびるように、貫通長孔６０が穿設されるとともに、該貫通長孔６０の上下の孔壁に適宜な間隔をおいて凹設された長さ決定穴６２に第１右側頭つる部５０の外側面に突設された突起６４を嵌合させて固定するように形成され、第２右側頭つる部５２に形成された複数の長さ決定穴６２の内、最適な長さ決定穴６２に第１右側頭つる部５０の突起６４を嵌合させて、そのつる部２０の長さを調整するように形成されている。
左側頭つる部２６の長さ調整手段７８は、第２左側頭つる部７２の嵌合孔７６の長手方向に向けてのびるように、貫通長孔８０が穿設されるとともに、該貫通長孔８０の上下の孔壁に適宜な間隔をおいて凹設された長さ決定穴８２に第１左側頭つる部７０の外側面に突設された突起８４を嵌合させて固定するように形成され、第２左側頭つる部７２に形成された複数の長さ決定穴８２の内、最適な長さ決定穴８２に第１左側頭つる部７０の突起８４を嵌合させて、そのつる部２０の長さを調整するように形成されている。
【００１９】
この実施の形態においては、右側頭つる部２２を構成する第２右側頭つる部５２と右後頭つる部２４とは合成樹脂又はセルロイドなどで一体成形されてなり、又、左側頭つる部２６を構成する第２左側頭つる部７２と左後頭つる部２８とは合成樹脂又はセルロイドで一体成形されてなる。
【００２０】
実際の使用にあたっては、右後頭つる部２４の後頭連結部３０と左後頭つる部２８の後頭連結部３２とを連結しないで、離された状態において、右側頭つる連結部５４の長さ調整手段５８及び左側頭つる連結部７４の長さ調整手段７８においてレンズ１２及び前枠１４と右後頭つる部２４及び左後頭つる部２８との間の長さを調整して最適な長さとした上で、スポーツ用眼鏡１０を掛け、右後頭つる部２４の後頭連結部３０と左後頭つる部２８の後頭連結部３２とをマグネット部３４の磁気の吸引力により連結して、右後頭つる部２４及び左後頭つる部２８を頭の後頭部に当接させて頭の後頭部において固定する。
【００２１】
この考案は、前記実施の形態に限らず、この考案の思想に基づき、種々変更することが可能である。
例えば、前枠のない眼鏡としてもよい。
また、例えば、図７において示すように、右後頭つる部２４の後頭連結部３０に長手方向に突設した突設部１４０を設け、その先端にマグネット片を固着してマグネット部１３４を形成するとともに、左後頭つる部２８の後頭連結部３２に、前記後頭連結部３０の突設部１４０を嵌合させるための嵌合孔１４２を、左後頭つる部２８の長手方向に穿設し、その嵌合孔１４２の溝底にマグネット片又は鉄片を固着して被吸引部１３６を形成して、マグネット部１３４の磁気の吸引力により被吸引部１３６と固定するように形成するとともに、右後頭つる部２４の後頭連結部３０の突設部１４０を左後頭つる部２８の後頭連結部３２の嵌合孔１４２に嵌合して、強固に固定するように形成してもよい。
【００２２】
又、図８において示すように、右側頭つる連結部５４の長さ調整手段を長さ調整手段１５８のように変更し、左側頭つる連結部７４の長さ調整手段を長さ調整手段１７８のように変更してもよい。
右側頭つる連結部５４の長さ調整手段１５８は、第２右側頭つる部５２の嵌合孔５６の長手方向に適宜な間隔をおいて、貫設された貫通孔１６０に第１右側頭つる部５０の外側面に突設された突起１６２を嵌合させて固定するように形成され、第２右側頭つる部５２に形成された複数の貫通孔１６０の内、最適な貫通孔１６０に第１右側頭つる部５０の突起１６２を嵌合させて、つる部２０の長さを調整するように形成されている。
左側頭つる連結部７４の長さ調整手段１７８は、第２左側頭つる部７２の嵌合孔７６の長手方向に適宜な間隔をおいて、貫設された貫通孔１８０に第１左側頭つる部７０の外側面に突設された突起１８２を嵌合させて固定するように形成され、第２左側頭つる部７２に形成された複数の貫通孔１８０の内、最適な貫通孔１８０に第１左側頭つる部７０の突起１８２を嵌合させて、そのつる部２０の長さを調整するように形成されている。
【産業上の利用可能性】
【００２３】
この考案にかかる眼鏡は、スポーツをするときに用いるに最適であるが、その他の用途や常用にも用いることができる。
【図面の簡単な説明】
【００２４】
【図１】この考案の一実施の形態であるスポーツ用眼鏡の斜視図解図である。
【図２】図１図示スポーツ用眼鏡の側面図解図である。
【図３】図１図示スポーツ用眼鏡の後頭連結部の一部を断面として平面図解図であり    、（Ａ）は連結した状態を示す図で（Ｂ）は離れた状態を示す図である。
【図４】図１図示スポーツ用眼鏡の長さ調整手段を示す斜視図解図であり、（Ａ）は    分解した状態を示す図で、（Ｂ）は使用状態を示す図である。
【図５】図１図示スポーツ用眼鏡の使用状態を示す平面図解図である。
【図６】図１図示スポーツ用眼鏡の使用状態を示す側面図解図である。
【図７】後頭連結部の変形例を示す一部を断面として平面図解図であり、（Ａ）は連    結した状態を示す図で（Ｂ）は離れた状態を示す図である。
【図８】長さ調整手段の変形例を示す側面図解図であり、（Ａ）は分解した状態を示    す図で、（Ｂ）は使用状態を示す図である。
【符号の説明】
【００２５】
１０  スポーツ用眼鏡
１２  レンズ
１４  前枠
１６  智
１８  連接部
２０  つる部
２２  右側頭つる部
２４  右後頭つる部
２６  左側頭つる部
２８  左後頭つる部
３０  後頭連結部（右後頭つる部の）
３２  後頭連結部（左後頭つる部の）
３４  マグネット部
３６  被吸引部
５０  第１右側頭つる部
５２  第２右側頭つる部
５４  右側頭つる連結部
５６  嵌合孔
５８，１５８  長さ調整手段
６０  貫通長孔
６２  長さ決定穴
６４  突起
７０  第１左側頭つる部
７２  第２左側頭つる部
７４  左側頭つる連結部
７６  嵌合孔
７８，１７８  長さ調整手段
８０  貫通長孔
８２  長さ決定穴
８４  突起
１３４  マグネット部
１３６  被吸引部
１４０  突設部
１４２  嵌合孔
１６０  貫通孔
１６２  突起
１８０  貫通孔
１８２  突起
【図１】
0003120099.tif 000003
【図２】
0003120099.tif 000004
【図３】
0003120099.tif 000005
【図４】
0003120099.tif 000006
【図５】
0003120099.tif 000007
【図６】
0003120099.tif 000008
【図７】
0003120099.tif 000009
【図８】
0003120099.tif 000010